(57)【要約】【課題】画像形成物質除去装置の剥離ユニットの小型化並びにユニット解除機構の小型簡素化及び操作性・安全性の向上を図る。【解決手段】像形成物質除去装置のユニット解除機構は、駆動手段を備えた剥離部材４及び対向搬出ローラ５ｂに対する加熱・加圧ローラ１及び搬出ローラ５ａの接離と外装カバー６の開閉とを同期作動する機構８，９，１０を具備し、加熱・加圧ローラ１が、剥離部材の作動により連れ回りをし、搬出ローラが、加熱・加圧ローラと同方向・同周速で回転するように加熱・加圧ローラと伝動機構１２，１３，１４で連結されており、加熱・加圧ローラ及び搬出ローラの剥離部材及び対向搬出ローラに対する離隔状態並びに外装カバーの開放状態を共に複数段階（１７ｂ，１７ｃ，１７ｅ）に保持する保持手段１７，１８，１９を具備している。【選択図】　　　　図１
2004045761.tif 000002
【特許請求の範囲】
【請求項１】
表面に画像が定着されたシートを回転駆動手段を備えた剥離部材と加圧ローラとの間を通過させることにより剥離部材にシート表面の像形成物質を付着させてシートから像形成物質を除去する像形成物質除去装置の剥離ユニットにおいて、加圧ローラの剥離部材に対する接離と像形成物質除去装置の外装カバーの開閉とを同期作動する連結機構を具備するユニット解除機構。
【請求項２】
表面に画像が定着されたシートを回転駆動手段を備えた剥離部材と加圧ローラとの間を通過させることにより剥離部材にシート表面の像形成物質を付着させてシートから像形成物質を除去し、像形成物質が除去された再生シートを搬出ローラ対で搬出する像形成物質除去装置の剥離ユニットにおいて、加圧ローラの剥離部材に対する接離及び搬出ローラ対の接離と像形成物質除去装置の外装カバーの開閉とを同期作動する連結機構を具備するユニット解除機構。
【請求項３】
加圧ローラの剥離部材に対する接離状態と外装カバーの開閉状態とを保持する保持手段を具備する請求項１に記載のユニット解除機構。
【請求項４】
加圧ローラの剥離部材に対する接離状態及び搬出ローラ対の接離状態と外装カバーの開閉状態を保持する保持手段を具備する請求項２に記載のユニット解除機構。
【請求項５】
接離状態の離隔度及び開閉状態の開放度が複数段階である請求項３又は請求項４に記載のユニット解除機構。
【請求項６】
加圧ローラと搬出ローラとが同方向同周速で回転するよう伝動機構で連結されている請求項２、請求項４又は請求項５に記載のユニット解除機構。
【請求項７】
加圧ローラがシートを挟んで回動する剥離部材に連れ回転するように回転自在である請求項１乃至請求項６に記載のユニット解除機構。
【請求項８】
加圧ローラが加熱手段を具備している請求項１乃至請求項７に記載のユニット解除機構。
【発明の詳細な説明】
【０００１】
【産業上の利用分野】
この発明は、表面に画像が定着されたシートを剥離部材と加圧ローラとの間を通過させることにより剥離部材にシート表面の像形成物質を付着させてシートから像形成物質を除去する像形成物質除去装置の剥離ユニットにおけるユニット解除機構に関する。
【０００２】
【従来の技術】
従来の技術における、像形成物質除去装置における解除機構として、例えば特開平９−１０１７２６公報に開示されているものがある。
特開平９−１０１７２６公報に開示されているものは、複写機、プリンタ等の画像形成装置によってトナーなど熱可塑性または熱溶融性の画像形成物質を安定に付着させた被記録材からの画像形成物貿除去装置に備えられた装置の待機中及びジャム発生時に剥離部材と加圧部材との圧接を解除する機構であり、待機中及びジャムの発生時には、偏心カム及びリンク等からなる圧接解除機構が、偏心カムをモータの駆動により回転することにより作動し、圧接が解除されるようなっている。
【０００３】
【発明が解決しようとする課題】
上記の従来の技術の画像形成物貿除去装置における解除機構には、次のような問題がある。
（１）自動的に解除する機構としてモータ、リンク等の機構を組み合わせた装置を搭載するため、装置の大型化、コスト増となる欠点がある。
【０００４】
（２）前記の圧接ローラ構成以外の部分にまたがるジヤム紙の除去には別途、そのローラ対の解除が必要になり操作が乱雑になり、再セット時のモレなどを起こす欠点がある。
【０００５】
（３）ローラ毎に駆動を配回す必要があり、これもコスト増の欠点になる。
（４）カムによる加圧解除機構では、その解除量が或る程度規制され、ジヤバラ状に用紙が詰まった場合、搬送路が充分に開放されないと除去できない欠点がある。
【０００６】
この発明は、上記の従来の技術の画像形成物貿除去装置における解除機構の問題点を解消した解除機構を提供することを目的としている。
【０００７】
【課題を解決するための手段】
この発明のユニット解除機構が装備された画像形成物貿除去装置の剥離ユニットは、コピー機、プリンター等により表面に画像形成物貿、例えばトナーが定着されたシートを剥離部材と加熱・加圧ローラとの間に圧接状態で通過させることで、剥離部材にトナーを付着させ、シートから像形成物質を除去し、像形成物質が除去されたシートを搬出ローラで搬出するものである。
【０００８】
上記ユニット解除機構は、加熱・加圧ローラの剥離部材に対する接離及び搬出ローラ対の接離と像形成物質除去装置の外装カバーの開閉とを同期作動する連結機構を具備すると共に、加熱・加圧ローラの剥離部材に対する接離状態及び搬出ローラ対の接離状態と外装カバーの開閉状態を保持する保持手段を具備している。
【０００９】
そして、ユニット解除機構における接離状態の離隔度及び開閉状態の開放度が複数段階である。
又、加熱・加圧ローラと搬出ローラとが同方向同周速で回転するよう伝動機構で連結されていると共に、加熱・加圧ローラはシートを挟んで回動する剥離部材に連れ回転するように回転自在である。
【００１０】
使用時においては、加熱・加圧ローラと剥離部材と接触及び対向する搬出ローラ同士の接触並びに外装カバーの閉止状態は安全に保持され、ジャム発生時には、加圧ローラ及び搬出ローラの剥離部材及び対向搬出ローラに対する離隔並びに外装カバーの開放が同時に行なわれ、その離隔状態並びに開放状態が複数段階に保持される。
【００１１】
【発明の実施の形態】
この発明の実施の形態における画像形成物貿除去装置の加熱・加圧ローラ及び搬出ローラの対向作動体である駆動手段を備えた剥離部材及び対向搬出ローラに対する接離と外装カバーの開閉とが同期作動するユニット解除機構を備えている剥離ユニットを図面に従って説明する。
【００１２】
画像形成物貿除去装置は、一般に、複写機、ファクシミリ、プリンタ、印刷機等の画像形成装置によって例えばトナー等のような像形成物質が例えば紙のような像保持体、即ちシートに安定に付着されて作成された転写シートから像形成物質（以下トナーという）を除去して転写シートを再生する装置である。
【００１３】
像形成物質除去装置には、転写シートの搬送経路が形成され、その上流側から転写シート供給手段、剥離促進液を転写シートの画像面に塗布する剥離促進液塗布ユニット、転写シートからトナーを剥離する剥離ユニット及びトナーが除去された再生転写シートを搬出する再生転写シート搬出ユニットが順次配設されている。
【００１４】
ジャムは、主に、上記のうちの転写シートからトナーを剥離する剥離ユニットにおいて生じるのであり、ユニット解除機構は、剥離ユニットに装備されている。
以下の説明における上下方向、左方向（後側）、右方向（前側）並びに回転方向（時計回り及び反時計回り）は、図１における方向とする。
【００１５】
図１に示すように、剥離ユニットＡは、転写シートＳの搬送経路において、剥離促進液塗布ユニットの下流にあって、剥離促進液が塗布された転写シートＳを両面から挟むように作動ローラである加熱ローラ１と押圧ローラ２とが対向して回転自在に設けられ、加熱ローラ１は内部に加熱手段、例えば外部から制御される電熱手段を内蔵している。
【００１６】
押圧ローラ２及び図示しない駆動手段により回転駆動されるローラを含めた回転自在のローラ３等のローラ列には、加熱ローラ１に対する対向作動体である無端の剥離ベルト４が巻き掛けられており、加熱ローラ１は、押圧ローラ２に巻き掛けられた剥離ベルト４に転写シートＳの画像面に当てて転写シートＳを加熱しながら適宜の押圧力で押圧ローラ２に押圧するようになっている。
転写シートＳは、図示しない転写シート供給手段などに複数枚積載されており、１枚ずつ分離搬送される。
【００１７】
転写シート供給手段から搬送された転写シートＳは、同じく図示しない剥離促進液塗布ユニットにて画像面に剥離促進液が塗布された後、右方から剥離ユニットＡに搬入され、剥離ベルト４と加熱ローラ１との間に挟まれて搬送されることによりトナー像が除去された上、対向する搬出ローラ５ａ，５ｂにより左方の再生転写シート搬出ユニットに搬出される。
【００１８】
図１及び図２に示すように、画像形成物貿除去装置の剥離ユニットＡにおいて、外装カバー６は、上側の天板部６ａと天板部６ａの両側縁から下方に伸びる側板部６ｂ，６ｂと、天板部６ａの後端縁から下方に伸びるの後側板部６ｃとから形成され、更に天板部６ａと後側板部６ｃとからなる角部の中央域には、図４に示すような形状の開閉レバー１６が露出する開口６ｆが形成されている。
開口６ｆを形成する天板部６ａ及び後側板部６ｃの端縁部は、夫々内側にリブ状に直角に折り曲げられ、開閉レバー１６に対する当接部６ｄ、６ｅとなっている。
【００１９】
画像形成物貿除去装置の両側フレームＦ，Ｆに両端が支持された支持軸７には、両側フレームＦ，Ｆの内側で適宜の間隔をあけて両側フレームＦ，Ｆと平行な外装カバー６の側板部６ｂ，６ｂが開口６ｆと反側側の端部で回転自在に支承されている。即ち、外装カバー６は、開口６ｆ側を揺動端側として支持軸７に取り付けられている。
【００２０】
外装カバー６の支持軸７を軸とした時計回り（図１）の回動を後述のロック爪１７の下端縁がロック軸１９の外周面に載ることが可能である範囲までに制限する止め手段（図示しない）が設けられている。
又、外装カバー６の側板部６ｂ，６ｂにおいて、開口６ｆの内側位置（図１参照）には、ロック爪解除軸８が両端部を両側フレームＦ，Ｆ側に突出させて回転自在に支承されている。
【００２１】
更に、外装カバー６の側板部６ｂ，６ｂの略後下方位置（図１参照）には、側板部６ｂ，６ｂ夫々から内方に対向した支持軸９，９が適宜突出している。
外装カバー６内には、下方及び後方が開口した略箱状の内枠１０が収納され、内枠１０の側板部１０ａ，１０ａの後下方位置は、夫々支持軸９，９に回転自在に支承されている。
【００２２】
そして、内枠１０の前側板部１０ｂの下方位置に突出して取り付けられた支承突起１０ｃと支持軸７との間には、圧縮コイルばね１１が装着されている。即ち、内枠１０は、圧縮コイルばね１１により支持軸９，９を中心に時計回りに回動するように付勢されている。
【００２３】
内枠１０の側板部１０ａ，１０ａの中心域には、一方の端面に同心関係で歯車１２が取り付けられた加熱ローラ１の軸首部３ａ，３ａが回転自在に支承されており、内枠１０の側板部１０ａ，１０ａの後下方域には、一方の端面に同心関係で歯車１３が取り付けられた搬出ローラ５ａの軸首部が回転自在に支承されている。
【００２４】
更に内枠１０の一方の側板部１０ａには、加熱ローラ１と搬出ローラ５ａとが同方向に同周速で回転するように、歯車１２と歯車１３との間を伝動する歯車列１４，１４，１４が回転自在に取り付けられている。そして、搬出ローラ５ａに対し再生転写シートＳを挟んで当接押圧されるように搬出ローラ５ｂが両側フレームＦ，Ｆに両端支持されている。
【００２５】
外装カバー６が通常の閉じられた状態にあるとき、内枠１０に働く圧縮コイルばね１１により、加熱ローラ１は、再生転写シートＳを加熱しながら押圧ローラ２に巻き掛けられた剥離ベルト４に画像面に当てて押圧ローラ２に押圧するようになっている。
【００２６】
外装カバー６の側板部６ｂ，６ｂに回転自在に支承されたロック爪解除軸８の中央部には、図５に示すように解除レバー１５の基端縁部がロック爪解除軸８と一体的に取り付けられており、更に図３に示すような略方形断面の押し部１６ａをもったコ字形の開閉レバー１６が解除レバー１５を跨ぐようにして、その両脚部１６ｂ，１６ｂがロック爪解除軸８に回転方向に自由に取り付けられている。そして、図４に示すように、開閉レバー１６は、解除レバー１５の揺動端縁部に回転方向で当接し得るようになっている。
【００２７】
開閉レバー１６は、既述のように外装カバー６の開口６ｆを塞ぐように露出しており、押し部１６ａの一面が外装カバー６の一方の当接部６ｅに当接し、ロック爪解除軸８が中心のそれ以上の反時計回りが抑止された通常状態では、押し部１６ａの他面と他方の当接部６ｄとの間には、開閉レバー１６の操作動のための適宜の間隔があけられている。（図４参照）
そして、開閉レバー１６の操作時には、開閉レバー１６は、他方の当接部６ｄに当接するまでの範囲で図３でロック爪解除軸８を中心に時計回りに回動し得る。
【００２８】
更に、ロック爪解除軸８の両側フレームＦ，Ｆ側への各突出部には、側フレームＦと外装カバー６の側板部６ｂとの間にある図３に示すような一対のロック爪１７の基部が夫々ロック爪解除軸８に対し一体的に取り付けられており、ロック爪１７のレバー部１７ａに一端が取り付けられた引張りコイルばね１８の他端は、夫々両側フレームＦ，Ｆの適宜の箇所に取り付けられている。
【００２９】
従って、引張りコイルばね１８により、ロック爪１７，１７及び解除レバー１５は、共に常に反時計回りに回動するように付勢され、ロック爪１７，１７は、両側フレームＦ，Ｆの各内側面の適宜の箇所に互に対向して突出して設けられたロック軸１９，１９に当接するようになっている。（図１参照）
【００３０】
ロック爪１７は、図３に示すように、ロック軸１９に対向する端縁に第１凹欠部１７ｂ及び第２凹欠部１７ｃが形成されており、ロック爪解除軸８から遠い方の第２凹欠部１７ｃの開口には傾斜面をもつ顎部１７ｄが形成されている。
そして、後述するように、ロック軸１９が、ロック爪１７の第１凹欠部１７ｂ、顎部１７ｄ、第２凹欠部１７ｃ及び下端縁１７ｅのいずれかに係合するのである。
【００３１】
更に、ロック爪１７には、引張りコイルばね１８のばね力に抗してロック爪１７を図１で時計回りに回動させる操作のための摘み部１７ｆが形成されている。（図３参照）
ロック爪１７，１７がロック軸１９，１９に当接して、それ以上の反時計回りの回動が抑止された解除レバー１５と前記の通常状態の開閉レバー１６との間には若干の隙間が生じるような相互の位置関係になっている。
開閉レバー１６は、通常状態においては回動が抑止された解除レバー１５に当接しないので、外装カバー６の天板部６ａとの同一平面関係が確実となる。
【００３２】
複写機等においてトナー画像が形成された転写シートからトナーを除去する像形成物質除去装置における上記のユニット解除機構の操作・作動について説明する。
先ず、剥離ユニットＡにおける剥離プロセスについて説明する。
【００３３】
図１において、トナー画像面に剥離促進液が塗布された転写シートＳは、その塗布面を下にして右方から１枚宛順次搬入され、回転自在な押圧ローラ２及び図示しない駆動手段により回転駆動されるローラを含めた回転自在のローラ３等のローラ列に巻き掛けられ、反時計回りに回動する無端の剥離ベルト４と加熱ローラ１とに挟まれて更に右方に搬送される。
【００３４】
その際、内蔵の電熱手段で適宜の温度に加熱された加熱ローラ１は、移動中の転写シートＳを圧縮コイルばね１１のばね力でにより剥離ベルト４・押圧ローラ２に対し押圧しており、それによる摩擦により剥離ベルト４に従って時計回りに連れ回りをし、転写シートＳを全面的に加熱する。剥離促進液が塗布された上、加熱されることにより転写シートＳより剥離し易くなったトナーは、剥離ベルト４に押圧接触されることによりシートから剥離され、剥離されたトナーは剥離ベルト４で運び去られる。
【００３５】
そして、トナーが剥離された再生転写シートＳは、連れ回りする加熱ローラ１によって伝動歯車列１４，１４，１４を介して同方向同周速で回転される搬出ローラ５ａ及び対向する搬出ローラ５ｂにより左方の図示しない再生転写シート搬出ユニットに搬出される。
【００３６】
上記のような剥離プロセス中や不使用状態では、剥離ユニットＡは、図１及び図５で実線表示の状態にあり、外装カバー６は閉じられ、引張りコイルばね１８により図１において常に反時計回りに回動するように付勢されているロック爪１７の第１凹欠部１７ｂがロック軸１９に当接係合しおり、外装カバー６は、支持軸７を中心とした時計回りの回動、即ち開放が抑止されている。（図５（Ａ）参照）
【００３７】
剥離ユニットＡにおいて、ジャムが発生した場合には、操作者は、開閉レバー１６の押し部１６ａの一面が外装カバー６の一方の当接部６ｄに当るまで押し部１６ａを押圧する。すると開閉レバー１６が解除レバー１５の揺動端縁部に当り、解除レバー１５を時計回りに回動させるので（図４参照）、ロック爪解除軸８を介して、ロック爪１７は、引張りコイルばね１８のばね力に抗して時計回りに回動する。
【００３８】
すると、ロック爪１７の第１凹欠部１７ｂがロック軸１９から外れるので、外装カバー６は、支持軸７を中心に時計回りに回動し得る状態になる。
そこで、操作者は、開閉レバー１６を押したまま、外装カバー６を開閉レバー１６側において開けるが、所定の開度まで開けると、ロック爪１７の顎部１７ｄがロック軸１９に当り、外装カバー６のそれ以上の開放が抑止される。即ち、不用意な過度の開放が防止される。
【００３９】
次いで、操作者が、外装カバー６を保持したまま、開閉レバー１６を解放すると、解除レバー１５の反時計回りの回動、即ちロック爪解除軸８の反時計回りの回動が可能となるので、引張りコイルばね１８のばね力によりロック爪１７も時計回りに回動し、第２凹欠部１７ｃがロック軸１９に係合する。
その結果、操作者が、所定の開度の外装カバー６を保持しなくても、外装カバー６は、所定の開度の状態に拘束維持される。即ち所定の開度の以上にも以下にもならない。（図５（Ｂ）参照）
【００４０】
外装カバー６の支持軸７を中心にした時計回りの回動は、内枠１０の時計回りの回動をもたらし、従って、加熱ローラ１と搬出ローラ５ａとが共に夫々押圧ローラ２・剥離ベルト４と搬出ローラ５ｂとから所定距離、例えば用紙１枚分の厚さより若干大きい距離だけ離れ、紙詰りの転写シートの除去が可能となる。
【００４１】
この場合、加熱ローラ１及び搬出ローラ５ａと押圧ローラ２・剥離ベルト４及び搬出ローラ５ｂに咥え込まれた転写シートの先端又は後端は、剥離ユニットＡの外にあるので、その端部を把持して、転写シートを容易に引き抜くことができる。
【００４２】
外装カバー６の開度が必要限度の所定の開度が維持されるので、操作者は、必要な作業を行うことができると共に、剥離ユニットＡにおいては、加熱ローラ１が高温になっているので、不用意な作業は危険であが、外装カバー６の開度が必要限度の所定の開度が維持されるので、作業の安全が保たれる。
【００４３】
外装カバー６を上記の所定開度以上に開きたい場合、加熱ローラ１及び搬出ローラ５ａが押圧ローラ２・剥離ベルト４及び搬出ローラ５ｂから大きく離したい場合には、操作者は、外部からロック爪１７の摘み部１７ｆを操作して、ロック爪１７を大きく時計回りに回動させ、ロック爪１７をロック軸１９から解放すると共にロック爪１７の下端縁１７ｅがロック軸１９の外周面上側に達するまで、外装カバー６を大きく開いた後、ロック爪１７の摘み部１７ｆを解放する。（図５（Ｄ）参照）
【００４４】
すると、ロック爪１７は引張りコイルばね１８のばね力により反時計回りに回動して、ロック爪１７の下端縁がロック軸１９の外周面に載る。かくして、操作者が外装カバー６を放しても、大きく開いた外装カバー６は、下端縁１７ｅがロック軸１９の外周面に載ったロック爪１７に支承されて、開いた状態が維持される。そして、ジャム処理作業が行われる。
【００４５】
外装カバー６は、止め手段（図示しない）によりロック爪１７の下端縁がロック軸１９の外周面に載ることが可能である範囲より無用に大きくは開き回動しない。即ち、外装カバー６の開度が必要限度の所定の開度が維持されるので、不用意な作業の高温の加熱ローラ１による危険が避けられ、作業の安全が保たれる。
【００４６】
外装カバー６を閉じる場合には、操作者は、開閉レバー１６の押し部１６ａの一面が外装カバー６の一方の当接部６ｄに当るまで押し部１６ａを押圧する。すると開閉レバー１６が解除レバー１５の揺動端縁部に当り、解除レバー１５を時計回りに回動させるので、ロック爪解除軸８を介して、ロック爪１７は、引張りコイルばね１８のばね力に抗して時計回りに回動する。
すると、ロック爪１７の第２凹欠部１７ｃ又はロック爪１７の下端縁１７ｅがロック軸１９から外れるので、外装カバー６は、支持軸７を中心に反時計回りに回動し得る状態になる。
【００４７】
そこで、操作者は、開閉レバー１６を押したまま、外装カバー６を開閉レバー１６側において閉じてから、開閉レバー１６を解放すると、解除レバー１５の反時計回りの回動、即ちロック爪解除軸８の反時計回りの回動が可能となるので、引張りコイルばね１８のばね力によりロック爪１７も時計回りに回動し、第１凹欠部１７ｂがロック軸１９に係合する。その結果、加熱ローラ１が剥離ベルト４・押圧ローラ２に対し押圧され、搬出ローラ５ａと搬出ローラ５ｂとに対し押圧された状態、即ちトナー剥離作動可能な状態になり、外装カバー６は閉じた状態にロックされる。（図５（Ａ）参照）
【００４８】
【発明の効果】
この発明の画像形成物質除去装置の剥離ユニットにおけるユニット解除機構によれば、連結機構により加圧ローラの剥離部材に対する接離及び搬出ローラ対の接離と像形成物質除去装置の外装カバーの開閉とを同期作動するので、ジャム発生時に、外装カバーの開閉操作のみで、加圧ローラの剥離部材に対する接離及び搬出ローラ対の接離が可能である。従って、剥離ユニットの操作性がよく、外装カバーの閉止操作時に加圧ローラの剥離部材に対する接触及び搬出ローラ対の接着の操作失念が防止される。
【００４９】
又、加圧ローラは回転自在で剥離部材に従って連れ回転する上、加圧ローラと搬出ローラとは同方向同周速で回転するよう伝動機構で連結されているので、個々の駆動の連結機構を簡略化・省略化でき製造コストを低減することができる。
【００５０】
加圧ローラの剥離部材に対する接離状態及び搬出ローラ対の接離状態並びに外装カバーの開閉状態を保持する保持手段が具備されているので、使用中の不用意の外装カバーの開放並びに加圧ローラの剥離部材に対する離隔及び搬出ローラ対の離隔が防止されると共に、保持される加圧ローラの剥離部材に対する離隔状態及び搬出ローラ対の離隔状態並びに外装カバーの開放状態が複数段階であるので、ジャム処理操作上必要な開度に外装カバーを開放し得ると共に、必要以上の外装カバーの開放が防止されるので、ジャム処理操作上の安全が図れる。
特に、像形成物質除去装置の剥離ユニットの場合、加圧ローラは高温の加熱ローラであるため、ジャム処理操作上の安全性には効果的である。
【図面の簡単な説明】
【図１】この発明の実施の形態における像形成物質除去装置の剥離ユニットの側面構成図である。
【図２】図１の要部の平面構成図である。
【図３】この発明の実施の形態における像形成物質除去装置のユニット解除機構の分解部分図である。
【図４】この発明の実施の形態における像形成物質除去装置のユニット解除機構の作用説明図である。
【図５】この発明の実施の形態における像形成物質除去装置のユニット解除機構の作用説明図である。
【符号の説明】
１　加熱ローラ
２　押圧ローラ
３　ローラ
３ａ　軸首部
４　剥離ベルト
５ａ，５ｂ　搬出ローラ
６　外装カバー
６ａ　天板部
６ｂ　側板部
６ｃ　後側板部
６ｄ，６ｅ　当接部
６ｆ　開口
７　支持軸
８　ロック爪解除軸
９　支持軸
１０　内枠
１０ａ　側板部
１０ｂ　前側板部
１０ｃ　支承突起
１１　圧縮コイルばね
１２，１３　歯車
１４　歯車列
１５　解除レバー
１６　開閉レバー
１６ａ　押し部
１６ｂ　両脚
１７　ロック爪
１７ａ　レバー部
１７ｂ　第１凹欠部
１７ｃ　第２凹欠部
１７ｄ　顎部
１７ｅ　下端縁
１７ｆ　摘み部
１８　引張コイルばね
１９　ロック軸
Ａ　剥離ユニット
Ｆ　側フレーム
Ｓ　転写シート
【図１】
2004045761.tif 000003
【図２】
2004045761.tif 000004
【図３】
2004045761.tif 000005
【図４】
2004045761.tif 000006
【図５】
2004045761.tif 000007